(57)【要約】【課題】  可変指向性アンテナを利用する放送受信装置、または、当該放送受信装置を含む放送受像機において、適切にチャンネルサーチが行なわれるようにする。【解決手段】  放送受信装置１は、可変指向性アンテナの一例であるスマートアンテナ３０と接続され、当該スマートアンテナ３０を利用して放送信号を受信する。そして、放送受信装置１は、モニタ４０に対して映像信号および音声信号を出力する。放送受信装置１では、予め設定された時刻となると、チャンネルサーチが行なわれる。当該チャンネルサーチでは、メモリ１０Ｂで周波数を記憶されている複数のチャンネルのそれぞれに関し、スマートアンテナ３０のすべての受信方向について、放送波が受信可能であるか否かが判断される。【選択図】        図１
2006157619.tif 000002
【特許請求の範囲】
【請求項１】
放送波を受信する方向を変更可能なアンテナである可変指向性アンテナに接続された放送受信装置であって、
前記可変指向性アンテナの受信する放送波において周波数を選択するチューナと、
前記チューナに対して、選択させる周波数を制御する制御手段と、
前記チューナによって選択された周波数の放送波が受信可能であるか否かを判断する判断手段と、
前記可変指向性アンテナを用いたチャンネルサーチのタイミングに関する情報、および、複数のチャンネルに対応する放送波の周波数を記憶する記憶手段と、
前記記憶手段に記憶されるタイミングに関する情報の内容を、所定の表示手段に表示させる、設定内容表示手段と、
前記記憶手段に記憶されるタイミングに関する情報の設定を行なう情報の入力を受付ける受付手段とを備え、
前記制御手段は、前記記憶手段に記憶されたタイミングになったと判断した場合に、前記可変指向性アンテナを用いたチャンネルサーチとして、前記記憶手段に記憶されているすべての周波数のそれぞれに関し、前記可変指向性アンテナのすべての受信方向について、前記判断手段に放送波が受信可能であるか否かを判断させ、
前記受付手段は、前記チャンネルサーチを実行するか否かの設定を行なう情報の入力も受付け、
前記記憶手段は、前記受付手段にタイミングに関する情報が入力された場合には、前記タイミングに関する情報を入力されたものに更新し、
前記制御手段は、前記記憶手段に周波数を記憶されている複数のチャンネルのそれぞれについて、前記判断手段によって、放送波が受信可能と判断され、かつ、それまでは放送波が受信可能ではないと判断された場合に、その旨の情報を、新規受信情報として、前記記憶手段に記憶させ、
所定のタイミングで、前記新規受信情報が記憶されているチャンネルに関する情報を、所定の表示手段に表示させる、新規受信情報表示手段をさらに備える、放送受信装置。
【請求項２】
放送波を受信する方向を変更可能なアンテナである可変指向性アンテナに接続された放送受信装置であって、
前記可変指向性アンテナの受信する放送波において周波数を選択するチューナと、
前記チューナに対して、選択させる周波数を制御する制御手段と、
前記チューナによって選択された周波数の放送波が受信可能であるか否かを判断する判断手段と、
前記可変指向性アンテナを用いたチャンネルサーチのタイミングに関する情報、および、複数のチャンネルに対応する放送波の周波数を記憶する記憶手段とを備え、
前記制御手段は、前記記憶手段に記憶されたタイミングになったと判断した場合に、前記可変指向性アンテナを用いたチャンネルサーチとして、前記記憶手段に記憶されているすべての周波数のそれぞれに関し、前記可変指向性アンテナのすべての受信方向について、前記判断手段に放送波が受信可能であるか否かを判断させる、放送受信装置。
【請求項３】
前記記憶手段に記憶されるタイミングに関する情報の内容を、所定の表示手段に表示させる、設定内容表示手段をさらに備える、請求項２に記載の放送受信装置。
【請求項４】
前記記憶手段に記憶されるタイミングに関する情報の設定を行なう情報の入力を受付ける受付手段をさらに備え、
前記記憶手段は、前記受付手段にタイミングに関する情報が入力された場合には、前記タイミングに関する情報を入力されたものに更新する、請求項２または請求項３に記載の放送受信装置。
【請求項５】
前記受付手段は、前記チャンネルサーチを実行するか否かの設定を行なう情報の入力も受付ける、請求項４に記載の放送受信装置。
【請求項６】
前記制御手段は、前記記憶手段に周波数を記憶されている複数のチャンネルのそれぞれについて、前記判断手段によって、放送波が受信可能と判断され、かつ、それまでは放送波が受信可能ではないと判断された場合に、その旨の情報を、新規受信情報として、前記記憶手段に記憶させ、
所定のタイミングで、前記新規受信情報が記憶されているチャンネルに関する情報を、所定の表示手段に表示させる、新規受信情報表示手段をさらに備える、請求項２〜請求項５のいずれかに記載の放送受信装置。
【発明の詳細な説明】
【技術分野】
【０００１】
本発明は、放送受信装置に関し、特に、可変指向性アンテナを利用した放送の受信が可能な放送受信装置に関する。
【背景技術】
【０００２】
テレビ放送には、ＶＨＦ（Very High Frequency）およびＵＨＦ（Ultra High Frequency）の周波数帯域が割当てられている。一般的に、テレビ放送の信号受信には八木アンテナが用いられる。八木アンテナは、反射器、放射器および導波器で構成されており、反射器の働きにより導波器側へ強い指向性を有し、利得も大きいといった長所がある。
【０００３】
良好な受信ができるように、八木アンテナは、その指向性が放送局の方向と一致するように設定される。そして、このようなアンテナを用いる受信装置では、チャンネルサーチという、当該受信装置が受信可能なチャンネルを検索する処理がなされる。
【０００４】
特許文献１には、自動的にチャンネルサーチが行なわれるデジタル放送受信装置が開示されている。このデジタル放送受信装置は、ユーザによって設定されたチャンネルサーチの実施日時が到来したときに電源ＯＮ状態でなければ電源ＯＮ処理を行なった後、チャンネルサーチ処理を行なう。また、電源ＯＮ状態であれば、電源ＯＦＦキーが操作されるまで待機した後、チャンネルサーチ処理を行なう。
【０００５】
また、特許文献２には、デジタル放送受信装置において、チャンネルサーチの結果受信が行なえるようになるチャンネルについて、登録済みチャンネルか否かの判断がなされ、判定結果を表示する技術が開示されている。
【０００６】
また、特許文献３には、デジタル放送受信装置において、チャンネルサーチの結果、新たに受信が行なえるようになるチャンネルがあった場合、その旨を報知する技術が開示されている。
【０００７】
なお、一般的に、アンテナは、家屋の屋根等に固定して設置されるので、一旦設置されてしまうとその指向性を変更することは容易ではない。そのため、複数の放送局が分散して存在している場合には、その指向性に応じた特定の方向にある放送局の放送信号しか受信できなかった。
【０００８】
そこで、指向性を複数種類に切換えて、分散して存在する各放送局からの電波を受信できる可変指向性アンテナが考案されている。可変指向性アンテナには、たとえば、スマートアンテナがある。このスマートアンテナは、複数のアンテナ素子で構成され、各アンテナ素子を適当な振幅および位相により励振することで指向性を切換えることができる。
【０００９】
したがって、上述のスマートアンテナを用いることで、放送局が分散して存在している場合でも各放送局からの電波が受信可能となる。
【特許文献１】特開２００３−１６３８５３号公報
【特許文献２】特開２００４−２０１２５３号公報
【特許文献３】特開２０００−３４９６７１号公報
【発明の開示】
【発明が解決しようとする課題】
【００１０】
なお、このような可変指向性アンテナを利用する受信装置では、少しでも電波状態の良い方向から電波を受信するために、従来の八木アンテナを利用する受信装置とは異なる態様で、チャンネルサーチが実行される必要があると考えられる。
【００１１】
しかしながら、従来、可変指向性アンテナを利用する受信装置における、チャンネルサーチに関する技術は、あまり提供されていなかった。
【００１２】
本発明は、かかる実情に鑑み考え出されたものであり、その目的は、可変指向性アンテナを利用する放送受信装置において、適切にチャンネルサーチが行なわれるようにすることである。
【課題を解決するための手段】
【００１３】
本発明の或る局面に従った放送受信装置は、放送波を受信する方向を変更可能なアンテナである可変指向性アンテナに接続された放送受信装置であって、前記可変指向性アンテナの受信する放送波において周波数を選択するチューナと、前記チューナに対して、選択させる周波数を制御する制御手段と、前記チューナによって選択された周波数の放送波が受信可能であるか否かを判断する判断手段と、前記可変指向性アンテナを用いたチャンネルサーチのタイミングに関する情報、および、複数のチャンネルに対応する放送波の周波数を記憶する記憶手段と、前記記憶手段に記憶されるタイミングに関する情報の内容を、所定の表示手段に表示させる、設定内容表示手段と、前記記憶手段に記憶されるタイミングに関する情報の設定を行なう情報の入力を受付ける受付手段とを備え、前記制御手段は、前記記憶手段に記憶されたタイミングになったと判断した場合に、前記可変指向性アンテナを用いたチャンネルサーチとして、前記記憶手段に記憶されているすべての周波数のそれぞれに関し、前記可変指向性アンテナのすべての受信方向について、前記判断手段に放送波が受信可能であるか否かを判断させ、前記受付手段は、前記チャンネルサーチを実行するか否かの設定を行なう情報の入力も受付け、前記記憶手段は、前記受付手段にタイミングに関する情報が入力された場合には、前記タイミングに関する情報を入力されたものに更新し、前記制御手段は、前記記憶手段に周波数を記憶されている複数のチャンネルのそれぞれについて、前記判断手段によって、放送波が受信可能と判断され、かつ、それまでは放送波が受信可能ではないと判断された場合に、その旨の情報を、新規受信情報として、前記記憶手段に記憶させ、所定のタイミングで、前記新規受信情報が記憶されているチャンネルに関する情報を、所定の表示手段に表示させる、新規受信情報表示手段をさらに備えることを特徴とする。
【００１４】
本発明の他の局面に従った放送受信装置は、放送波を受信する方向を変更可能なアンテナである可変指向性アンテナに接続された放送受信装置であって、前記可変指向性アンテナの受信する放送波において周波数を選択するチューナと、前記チューナに対して、選択させる周波数を制御する制御手段と、前記チューナによって選択された周波数の放送波が受信可能であるか否かを判断する判断手段と、前記可変指向性アンテナを用いたチャンネルサーチのタイミングに関する情報、および、複数のチャンネルに対応する放送波の周波数を記憶する記憶手段とを備え、前記制御手段は、前記記憶手段に記憶されたタイミングになったと判断した場合に、前記可変指向性アンテナを用いたチャンネルサーチとして、前記記憶手段に記憶されているすべての周波数のそれぞれに関し、前記可変指向性アンテナのすべての受信方向について、前記判断手段に放送波が受信可能であるか否かを判断させることを特徴とする。
【００１５】
また、本発明の他の局面に従った放送受信装置は、前記記憶手段に記憶されるタイミングに関する情報の内容を、所定の表示手段に表示させる、設定内容表示手段をさらに備えることが好ましい。
【００１６】
また、本発明の他の局面に従った放送受信装置は、前記記憶手段に記憶されるタイミングに関する情報の設定を行なう情報の入力を受付ける受付手段をさらに備え、前記記憶手段は、前記受付手段にタイミングに関する情報が入力された場合には、前記タイミングに関する情報を入力されたものに更新することが好ましい。
【００１７】
また、本発明の他の局面に従った放送受信装置では、前記受付手段は、前記チャンネルサーチを実行するか否かの設定を行なう情報の入力も受付けることが好ましい。
【００１８】
また、本発明の他の局面に従った放送受信装置では、前記制御手段は、前記記憶手段に周波数を記憶されている複数のチャンネルのそれぞれについて、前記判断手段によって、放送波が受信可能と判断され、かつ、それまでは放送波が受信可能ではないと判断された場合に、その旨の情報を、新規受信情報として、前記記憶手段に記憶させ、所定のタイミングで、前記新規受信情報が記憶されているチャンネルに関する情報を、所定の表示手段に表示させる、新規受信情報表示手段をさらに備えることが好ましい。
【発明の効果】
【００１９】
本発明によると、所定のタイミングで、チャンネルサーチが行なわれる。また、当該チャンネルサーチでは、記憶手段において周波数を記憶されている複数のチャンネルのそれぞれに関し、可変指向性アンテナのすべての受信方向について、放送波が受信可能であるか否かが判断される。これにより、可変指向性アンテナを利用する放送受信装置において、適切に、チャンネルサーチが行なわれるようになる。
【００２０】
また、本発明によると、チャンネルサーチのタイミングに関する情報を表示手段に表示することができる。これにより、ユーザは、どのタイミングでチャンネルサーチが実行されるかを認識することができる。
【００２１】
また、本発明によると、チャンネルサーチのタイミングは、ユーザが入力したものに変更することができる。これにより、ユーザが、放送受信装置において、番組を視聴したい時間等、チャンネルサーチが実行されることを希望しない時間に、チャンネルサーチが実行されることを回避できる。
【００２２】
また、本発明によると、ユーザは、放送受信装置において、チャンネルサーチを実行するか否かの設定を行なわせることも可能となる。これにより、ユーザがチャンネルサーチが不要であると考える場合に、無駄に、放送受信装置においてチャンネルサーチが実行されることを回避できる。また、チャンネルサーチのタイミングに関する情報が表示される際、同様に、チャンネルサーチが実行されるか否かの情報も表示されることになるため、ユーザは、より確実に、自分の設定した情報を確認することができる。
【００２３】
また、本発明によると、放送受信装置は、新規に受信可能となったチャンネルについての情報を表示することができるため、ユーザは、容易に、新規に受信可能となったチャンネルについて、放送受信装置において視聴のための設定をするための操作等を適宜実行することができる。
【発明を実施するための最良の形態】
【００２４】
本発明の放送受信装置の一実施の形態について、図面を参照しながら詳細に説明する。なお、図中の同一または相当部分については、同一符号を付してその説明は繰返さない。
【００２５】
また、本実施の形態では、放送信号を受信するアンテナとしてスマートアンテナを用いることとする。しかし、本発明における可変指向性アンテナは、これに限定されず、指向性を切換えることが可能なアンテナであれば、他のアンテナを用いることができる。
【００２６】
図１は、本実施の形態の放送受信装置１の概略構成図である。
【００２７】
図１を参照して、放送受信装置１は、スマートアンテナ３０と接続され、当該スマートアンテナ３０を利用して放送信号を受信し、そして、当該スマートアンテナ３０に対して受信方向切換信号を出力する。また、放送受信装置１は、モニタ４０に対して映像信号および音声信号を出力する。さらに、放送受信装置１は、リモコン４２から指令信号を受信する。
【００２８】
スマートアンテナ３０は、上記したように、複数のアンテナ素子で構成される。そして、スマートアンテナ３０は、放送受信装置１から送信される受信方向切換信号を受けて、各アンテナ素子に対する励振を変化させることにより、指向性を切換える。
【００２９】
モニタ４０およびリモコン４２の構成は、周知であるので詳細な説明は省略する。
【００３０】
放送受信装置１は、制御部１０と、チューナ１６と、デジタル復調器１８と、アナログ復調器２０と、ＯＳＤ（On Screen Display）回路２１と、ＭＰＥＧ（Moving Picture Experts Group）デコーダ２２と、映像合成部２３と、受信方向切換部２４と、リモコン受信部２６と、タイマ２９とを含む。
【００３１】
制御部１０は、プログラムを実行するＣＰＵ（Central Processing Unit）１０Ａと、実行されるプログラム、プログラム実行中のデータ、およびプログラム実行結果のデータを記憶するメモリ１０Ｂとからなる。
【００３２】
チューナ１６は、受信した放送信号の中から、制御部１０からの指令に応じて選択されたチャンネルに対応する放送信号を抽出する。そして、抽出された放送信号がデジタルテレビ放送信号である場合は、チューナ１６は、デジタル復調器１８に放送信号を出力する。一方、抽出された放送信号がアナログテレビ放送信号である場合は、チューナ１６は、アナログ復調器２０へ放送信号を出力する。
【００３３】
デジタル復調器１８は、チューナ１６から放送信号を受けて、映像および音声の信号であるＭＰＥＧ信号に復調し、そのＭＰＥＧ信号をＭＰＥＧデコーダ２２へ出力する。ここで、デジタルテレビ放送信号は、リード・ソロモン符号および畳み込み符号で符号化されて送信される。そのため、デジタル復調器１８は、上述の復号処理において誤り訂正ができる。この誤り訂正の処理過程において、デジタル復調器１８は、受信した放送信号の受信データ誤り率を演算し、その受信データ誤り率を制御部１０へ出力する。このとき、デジタル復調器１８は、受信した放送信号に含まれる所定のデータ数毎に誤り訂正を行なうので、受信開始から１フレーム（１／３０秒）以内で受信データ誤り率の演算ができる。制御部１０は、受信データ誤り率によって、放送信号の信号レベルを判断することができる。
【００３４】
デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の第１実施形態におけるデジタル復調器１８は、上述のいずれの方式を用いてもよい。
【００３５】
アナログ復調器２０は、チューナ１６から放送信号を受けて、映像信号および音声信号へ復調する。そして、アナログ復調器２０は、復調された音声信号を外部および録画部７０へ出力する。また、アナログ復調器２０は、復調された映像信号を映像合成部２３および録画部７０へ出力する。さらに、アナログ復調器２０は、水平同期信号の捕捉の可否を制御部１０へ出力する。
【００３６】
アナログテレビ放送信号には、走査線の水平走査および垂直走査を制御するために、水平同期信号および垂直同期信号が含まれている。そして、アナログ復調器２０は、映像信号の復調を行なうために、上述の水平同期信号および垂直同期信号を捕捉する必要がある。なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００３７】
また、アナログ復調器２０は、ＡＧＣ（Auto Gain Control）回路を含む。ＡＧＣ回路は、アナログテレビ放送の放送信号の強弱による映像のコントラストの変化を軽減するために、フィードバック制御によりチューナ１６からの放送信号を一定のレベルに保つ回路である。
【００３８】
ＡＧＣ回路から出力される放送信号の電圧レベルが低い場合は、水平同期信号を捕捉できない。このため、ＡＧＣ回路によって放送信号が増幅される。制御部１０は、水平同期信号を捕捉できたときのＡＧＣ回路による放送信号の増幅率によって、放送信号の信号レベルを判断することができる。
【００３９】
水平同期信号を捕捉するにあたり、アナログ復調器２０は、受信した放送信号に対して、雑音除去処理、周波数分離処理、同期信号分離処理および整形増幅処理等を行なう。このため、受信開始から水平同期信号の捕捉までには、上述のデジタル復調器１８における受信データ誤り率の演算に比較して、多くの時間を要する。
【００４０】
アナログテレビ放送は、日本や米国等のＮＴＳＣ（National System Committee）方式の他に、ドイツやイギリス等のＰＡＬ（Phase Alternation by Line）方式およびフランス等のＳＥＣＡＭ（Sequentiel Couleur a Memoire）方式があるが、いずれの方式においても放送信号に水平同期信号が含まれているため、水平同期信号の捕捉の可否により受信状態を判断できる。本実施の形態のアナログ復調器２０は、いずれの方式に対しても適用できる。
【００４１】
ＯＳＤ回路２１は、制御部１０からの指令に応じて、モニタ４０の画面上に情報を表示するためのＯＳＤ信号を生成して、映像合成部２３へ出力する。本実施の形態では、ＯＳＤ回路２１は、ハードウェア回路で実現されることとする。しかし、これに限定されず、制御部１０によりソフトウェアが実行されることによって、ＯＳＤ回路２１の機能が実現されるようにしてもよい。
【００４２】
ＭＰＥＧデコーダ２２は、デジタル復調器１８から受けた信号を映像信号および音声信号に復号する。そして、ＭＰＥＧデコーダ２２は、復号された音声信号を、録画再生装置７００等の外部の装置へ出力する。また、ＭＰＥＧデコーダ２２は、復号された映像信号を、映像合成部２３および／または録画再生装置７００へ出力する。
【００４３】
映像合成部２３は、アナログ復調器２０またはＭＰＥＧデコーダ２２から受けた映像信号で示される映像に、ＯＳＤ回路２１から受けたＯＳＤ信号で示される映像を重畳させる。そして、映像合成部２３は、重畳された映像を示す映像信号を、モニタ４０等の外部へ出力する。
【００４４】
受信方向切換部２４は、制御部１０からの指令に応じて、受信方向切換信号をスマートアンテナ３０へ出力する。
【００４５】
リモコン受信部２６は、リモコン４２からの指令を受信して制御部１０へ出力する。ユーザは、所望の動作を行なわせるためリモコン４２を用いて、指令を送信する。
【００４６】
放送受信装置１は、録画再生装置７００に接続されている。録画再生装置７００は、制御部１０からの指令に応じて、アナログ復調器２０またはＭＰＥＧデコーダ２２から受けたアナログ信号をＭＰＥＧデータに変換して記録媒体７１に記録する。また、録画再生装置７００は、制御部１０からの指令に応じて、記録媒体７１に記録された信号を再生し、映像信号および音声信号に変換して、映像信号および音声信号をモニタ４０へ出力する。記録媒体７１に記録された信号の再生と同時に、ＯＳＤ回路２１からＯＳＤ信号を受けた場合、モニタ４０では、ＯＳＤ信号で示される映像が、映像信号で示される映像に重畳されて、出力される。
【００４７】
本実施の形態では、記録媒体７１は、たとえばＤＶＤ（Digital Versatile Disk）とすることができるが、これに限定されず、ＤＶＤ以外の光ディスク、ビデオテープなどの磁気テープ、または、ハードディスクなどの磁気ディスクなど、アナログ信号またはデジタル信号を記録可能なものであれば、どのようなものであってもよい。
【００４８】
また、本実施の形態においては、ＭＰＥＧデコーダ２２がアナログ信号に変換したものを再度、録画再生装置７００がＭＰＥＧデータに変換するようにした。しかし、デジタル復調器１８がＭＰＥＧデータを録画再生装置７００へ直接出力して、録画再生装置７００がそのＭＰＥＧデータを記録するようにしてもよい。
【００４９】
タイマ２９は、時刻を計測する機能を有する。制御部１０は、タイマ２９の計測する時刻を参照することができる。
【００５０】
本実施の形態では、スマートアンテナ３０は、指向性を切換えることにより水平面に対して１６分割された各方向に受信方向を変更できるとして説明する。
【００５１】
図２は、本実施の形態のスマートアンテナ３０における受信方向の切換を説明するための図である。図２を参照して、本実施の形態においては、図２に示すように、スマートアンテナ３０の１６の受信方向に対して、それぞれ、時計回り（正の回転方向）に、１，２，・・・，１６という番号が、関連付けられている。
【００５２】
放送受信装置１では、メモリ１０Ｂに、放送チャンネルとして設定されているすべてのチャンネル（たとえば、チャンネル２〜６９の６８チャンネルが設定されているとする）について、図３に示されるように、放送受信装置１が受信可能であるかという情報と、受信可能である場合のスマートアンテナ３０が受信する方向（アンテナ方向）を示す情報と、新規に受信可能であることが確認されたか否かを示すフラグのＯＮ／ＯＦＦを示す情報とが、たとえば表形式で記憶されている。ここで言うフラグがＯＮされた状態が、本発明の新規受信情報が記憶された状態に相当する。なお、本発明における新規受信情報の記憶は、フラグを利用したものに限定されない。各チャンネルについて、新規に受信可能になったことがＣＰＵ１０Ａにとって理解可能な形態であれば、他の形態であっても良い。
【００５３】
放送受信装置１では、予め設定された時刻になると、チャンネルサーチが行なわれる。なお、ここで言う「予め設定された時刻」とは、たとえば、ユーザによりリモコン４２を介して入力されメモリ１０Ｂに記憶された時刻である。また、チャンネルサーチは、毎日行なわれる必要がなく、たとえば、ユーザが指定した日付および時刻に、行なわれれば良い。
【００５４】
図４は、放送受信装置１においてＣＰＵ１０Ａが実行するチャンネルサーチ処理の流れを示すフローチャートである。
【００５５】
図４を参照して、チャンネルサーチ処理では、ＣＰＵ１０Ａは、まずステップＳ１０１（以下、「ステップ」を省略する）において、現在タイマ２９の計時する時刻が、メモリ１０Ｂに記憶されているチャンネルサーチを開始するべき時刻であるか否かを判断する。そして、ＣＰＵ１０Ａは、まだそのような時刻ではないと判断すると、そのまま待機し、そのような時刻になったと判断すると、処理をＳ１０２に進める。なお、後述するように、チャンネルサーチがＯＦＦに設定されている場合には、ＣＰＵ１０Ａは、Ｓ１０１の処理のまま待機することとなる。
【００５６】
Ｓ１０２では、ＣＰＵ１０Ａは、チャンネルサーチの対象とするチャンネル（サーチＣＨ）を「２」に設定する。つまり、チューナ１６の選択する周波数をチャンネル２に対応する周波数となるよう制御する。
【００５７】
次に、ＣＰＵ１０Ａは、Ｓ１０３で、スマートアンテナ３０の方向を、図２に示したように「１」〜「１６」まで定義されている中の「１」に対応する方向に制御する。
【００５８】
なお、放送受信装置１において、現在チューナ１６に対して設定されているチャンネル、および、現在スマートアンテナ３０に対して設定されている方向についての情報は、それぞれ、メモリ１０Ｂ内の所定の場所に記憶されている。そして、これらの情報は、チャンネルやアンテナの方向についての設定が変更されるたびに、逐次、更新される。
【００５９】
次に、ＣＰＵ１０Ａは、Ｓ１０４で、その時点でのサーチＣＨおよびアンテナ方向における電波の受信態様をチェックする。具体的には、対象とされる信号がデジタルテレビ放送信号であれば、放送信号の信号レベルが所定のレベル以上であるか否かの判断がなされる。また、対象とされる信号がアナログテレビ放送信号であれば、アナログ復調器２０において、水平同期信号を捕捉できたか否かがチェックされる。
【００６０】
次に、Ｓ１０５では、ＣＰＵ１０Ａは、Ｓ１０４におけるチェックの結果に基づいて、図３に示したようなチャンネルに関する情報（表）を更新する。具体的には、直前のＳ１０４において、電波の受信が可能であると判断された場合、つまり、放送信号の信号レベルが所定のレベル以上である場合または水平同期信号が捕捉できたと判断された場合、図３に示したような表において、対応するチャンネル（ＣＨ）の受信可否の欄に受信可能である旨の情報（図３中では「○」）を記憶させ、アンテナ方向の欄にその時点でのアンテナ方向を記憶させ、そして、前回チャンネルサーチ処理が実行された際に当該チャンネルが受信できないとされていた場合には、フラグをＯＮする旨の情報（図３中ではフラグの欄に「○」）を記憶させる。一方、直前のＳ１０４において、電波の受信ができないと判断された場合、つまり、放送信号の信号レベルが所定のレベル以上である場合または水平同期信号が捕捉できたと判断された場合、Ｓ１０５では、ＣＰＵ１０Ａは、図３に示したような表において、対応するチャンネル（ＣＨ）の受信可否の欄に受信ができない旨の情報（図３中では「×」）を記憶させる。
【００６１】
次に、ＣＰＵ１０Ａは、Ｓ１０６で、現在のアンテナ方向が、１〜１６と定義されている中の「１６」とされているか否かを判断し、そうであればＳ１０８に、そうでなければＳ１０７に、それぞれ処理を進める。
【００６２】
Ｓ１０７では、ＣＰＵ１０Ａは、アンテナ方向を１加算更新して、Ｓ１０４に処理を戻す。つまり、その時点でアンテナ方向が１であればアンテナ方向が２に変更される。
【００６３】
一方、Ｓ１０８では、ＣＰＵ１０Ａは、現在のサーチＣＨが６９であるか、つまり、最大のチャンネル数であるか否かを判断し、そうであればＳ１０１に処理を戻して次回のチャンネルサーチ処理まで待機し、そうでなければ、Ｓ１０９でサーチＣＨを１加算更新してＳ１０３に処理を戻す。
【００６４】
以上説明したチャンネルサーチ処理では、チャンネルサーチを開始するべき時刻になると、ＣＰＵ１０Ａは、各チャンネルごとに、スマートアンテナ３０を、当該スマートアンテナ３０に対して定義された１６方向すべてに制御し、放送波が受信できるかどうかを判断する。これにより、いかなる方向から送信される放送波についても、放送受信装置１において良好な状態で受信することが可能となる。
【００６５】
なお、基本的に、以上説明したチャンネルサーチ処理は、ユーザが、放送受信装置１を用いた番組の視聴を行なわない期間に行なわれる。また、以上説明したチャンネルサーチ処理では、放送受信装置１において、前回受信できていなかったチャンネルの放送波を受信できた場合には、図３に示したように、たとえばフラグをＯＮする等によって、記録が行なわれる。そして、その後に放送受信装置１において電源がＯＮされると、ユーザに、新たに受信ができるようになったチャンネルがあることが報知される。
【００６６】
以下に、このような報知も含めた、放送受信装置１の電源がＯＮされた際にＣＰＵ１０Ａが実行する起動処理について、当該処理のフローチャートである図５を参照しつつ、説明する。
【００６７】
リモコン受信部２６がリモコン４２から電源をＯＮするための信号を受信すると、ＣＰＵ１０Ａは、Ｓ２０１で、図３に示したようなチャンネル情報において、フラグがＯＮされているチャンネルが有るか否かをチェックする。
【００６８】
そして、Ｓ２０２で、ＣＰＵ１０Ａは、Ｓ２０１におけるチェックの結果に基づいて、フラグがＯＮされているチャンネルがあるか否かを判断し、あると判断するとＳ２０３へ、無いと判断するとＳ２０８へ、それぞれ処理を進める。
【００６９】
Ｓ２０３では、ＣＰＵ１０Ａは、モニタ４０において、たとえば図６に示すような、新しく受信できるようになったチャンネルがあることをユーザに報知するための表示を行なう。
【００７０】
図６に示された画面には、新規のチャンネルが受信できるようになったことを報知する「ＮＥＷ  ＣＨＡＮＮＥＬ  ＧＥＴ！！」というメッセージと、当該チャンネルを番組受信装置１において視聴するための登録を要求するか否かを問う「ＹＯＵ  ＣＨＥＣＫ  ＩＴ？」というメッセージと、当該問いに対するユーザの意思を入力するための「ＹＥＳ」「ＮＯ」という文字と、そして、これらの文字にいずれかに合わせて表示されるカーソルとが、含まれている。なお、放送受信装置１では、視聴のために、リモコン４２等を用いて選局できるチャンネルの数は、予め定められている。そして、ここでいう登録とは、放送チャンネルを、放送受信装置１において選局できるチャンネルとして、関連付けることを言う。なお、このような関連付けのための情報は、メモリ１０Ｂに記憶されている。
【００７１】
なお、このとき、ＣＰＵ１０Ａは、ユーザからの、新規に受信できるようになったチャンネルの、視聴するチャンネルとしての登録を要求するか否かの情報の入力を待っている状態となっている。ユーザは、リモコン４２に対して、ＹＥＳまたはＮＯのいずれかにカーソルを合わせた状態で決定するキー操作を行なうことにより、このような情報の入力を行なうことができる。
【００７２】
そして、ＣＰＵ１０Ａは、Ｓ２０４で、ユーザから入力された情報が登録を要求するものであるか否かを判断し、そうであると判断すればＳ２０５へ、登録を要求しない情報であると判断すればＳ２０８へ、それぞれ処理を進める。
【００７３】
Ｓ２０５では、ＣＰＵ１０Ａは、モニタ４０に、たとえば図７に示すような、今回新規に受信できるようになったチャンネルを一覧表示させる。このとき、ＣＰＵ１０Ａは、図３に示したようなチャンネル情報をチェックすることにより、フラグがＯＮされているチャンネルをリストアップし、当該リストアップされたすべてのチャンネルに対応する数字を、モニタ４０に表示させる。なお、図７では、５、１５、２６、５０というチャンネルが新規に受信できるようになった旨が表示されている。また、図７では、表示されたチャンネルについて登録を行なわないことを意味する「ＮＯ」という文字も表示されている。
【００７４】
次に、ＣＰＵ１０Ａは、Ｓ２０６で、図３に示したような表においてすべてのフラグをリセットする。
【００７５】
次に、ＣＰＵ１０Ａは、Ｓ２０７で、ユーザからの入力によって、Ｓ２０５において一覧表示させたチャンネルの中からどのチャンネルを登録するかについての情報の入力を受付ける。また、ＣＰＵ１０Ａは、Ｓ２０７で、入力された情報に基づいて、新規に受信できるようになったチャンネルを登録する処理を行なう。
【００７６】
そして、ＣＰＵ１０Ａは、Ｓ２０８で、モニタ４０に、予め定められた初期画面を表示させる。
【００７７】
次に、ＣＰＵ１０Ａは、Ｓ２０９で、リモコン受信部２６において、リモコン４２においてキー操作がなされた旨の情報が入力されたか否かを判断する。そして、そのような情報の入力があったと判断すると、Ｓ２１０に処理を進める。
【００７８】
Ｓ２１０では、入力された情報が、オートサーチ設定を行なう旨の情報であるか否かを判断する。オートサーチ設定とは、図４を用いて説明したようなチャンネルサーチに関する設定である。そして、ＣＰＵ１０Ａは、オートサーチ設定を行なう旨の情報であると判断するとＳ２１１に処理を進め、そのような情報ではないと判断するとＳ２１２に処理を進める。
【００７９】
Ｓ２１２では、ＣＰＵ１０Ａは、オートサーチ確認を行なう旨の情報であるか否かを判断する。オートサーチ確認とは、オートサーチ設定の内容を確認することである。そして、ＣＰＵ１０Ａは、オートサーチ確認を行なう旨の情報であると判断するとＳ２１３に処理を進め、そのような情報ではないと判断するとＳ２１４に処理を進める。
【００８０】
Ｓ２１３では、ＣＰＵ１０Ａは、図８に示すように、モニタ４０に、オートサーチ設定の内容を示す画面（オートサーチ画面）を表示させて、Ｓ２０９に処理を戻す。なお、図８には、チャンネルサーチ処理を実行する時刻を示す「１２：５０」という文字列と、チャンネルサーチ処理を実行する日を示す「ＷＥＥＫＬＹ（ＭＯＮ）」という文字列と、チャンネルサーチ処理を実行するように設定されている旨を示す画像８０が表示されている。図８に示されたオートサーチ画面では、１週間に一度、月曜日の、１２時５０分に、チャンネルサーチ処理が実行されるように設定されている旨が示されている。
【００８１】
Ｓ２１４では、ＣＰＵ１０Ａは、リモコン受信部２６に入力された情報の種類を特定し、入力された情報に応じた処理を実行した後、処理をＳ２０９に戻す。
【００８２】
一方、Ｓ２１１では、ＣＰＵ１０Ａは、オートサーチ設定処理を実行する。ここで、オートサーチ設定処理の内容について、当該処理のサブルーチンのフローチャートである図９を参照して、説明する。
【００８３】
オートサーチ設定処理では、ＣＰＵ１０Ａは、まず、Ｓ２１１１で、オートサーチ設定を行なうための画面（設定画面）をモニタ４０に表示させる。設定画面の一例を図１０に示す。
【００８４】
図１０に示された設定画面では、「チャンネルサーチ処理を実行させるか否か（チャンネルサーチ処理のＯＮ／ＯＦＦ）」「チャンネルサーチ処理を実行させる時刻」「チャンネルサーチ処理を実行させる日（周期）」という３つの設定項目のそれぞれに対応した「ＳＥＡＲＣＨ」「ＳＥＡＲＣＨ  ＴＩＭＥ」「ＳＥＡＲＣＨ  ＦＲＥＱ．」という文字列が表示され、また、各文字列の右側には、設定内容が表示されている。なお、図１０に示された設定画面が表示された状態は、ＣＰＵ１０Ａにとっては、ユーザからの、設定項目を選択する情報の入力を待っている状態となる。
【００８５】
ユーザからの情報の入力があった場合、ＣＰＵ１０Ａは、Ｓ２１１２で、設定画面に示された設定項目の中のどれを選択する情報が入力されたかを判断する。そして、ＣＰＵ１０Ａは、チャンネルサーチ処理のＯＮ／ＯＦＦを選択する情報が入力されたと判断するとＳ２１１３へ、チャンネルサーチ処理を実行させる時刻を選択する情報が入力されたと判断するとＳ２１１４へ、チャンネルサーチ処理を実行させる日（周期）を選択する情報が入力されたと判断するとＳ２１１５へ、それぞれ処理を進める。
【００８６】
Ｓ２１１３では、ＣＰＵ１０Ａは、ユーザの入力した情報に基づいて、チャンネルサーチ処理のＯＮ／ＯＦＦの設定を行なった後、処理をＳ２１１６に進める。ここでの設定とは、対応する情報をメモリ１０Ｂの所定の場所に記録することを言う。なお、ここでチャンネルサーチ処理がＯＦＦと設定された場合には、図４を参照して説明したチャンネルサーチ処理では、ＣＰＵ１０Ａは、Ｓ１０１で待機する。
【００８７】
Ｓ２１１４では、ＣＰＵ１０Ａは、ユーザの入力した情報に基づいて、チャンネルサーチを開始するべき時刻の設定を行なった後、処理をＳ２１１６に進める。
【００８８】
また、Ｓ２１１５では、ＣＰＵ１０Ａは、ユーザの入力した情報に基づいて、チャンネルサーチを行なう日および／または周期の設定を行なった後、処理をＳ２１１６に進める。
【００８９】
なお、図４を参照して説明したチャンネルサーチ処理のＳ１０１では、現在時刻が、Ｓ２１１４およびＳ２１１５で設定された日、周期、および、時刻と一致しているか否かの判断がなされることになる。
【００９０】
Ｓ２１１６では、ＣＰＵ１０Ａは、ユーザから、オートサーチ設定を終了させるための情報が入力されたか否かを判断し、そのような情報は入力されていないと判断するとＳ２１１２に処理を戻し、そのような情報が入力されたと判断すると、リターンする。
【００９１】
以上説明した本実施の形態では、ユーザの指定した日の指定した時刻に、チャンネルサーチが行なわれる。
【００９２】
また、チャンネルサーチに関する設定は、図８を用いて説明したように、リモコン４２に対して適宜操作がなされることにより、確認的に、モニタ４０に表示される。
【００９３】
なお、ＣＰＵ１０Ａは、チャンネルサーチの周期を適宜変更するような処理を行なっても良い。具体的には、ＣＰＵ１０Ａは、チャンネルサーチを行なった際に、連続して新しく受信できるようになったチャンネルが無かった場合には、チャンネルサーチを実行する周期を延ばすように周期を変更するように構成されても良い。さらに具体的には、たとえば、ＣＰＵ１０Ａは、連続した所定の回数のチャンネルサーチにおいて新しく受信できるようになったチャンネルがなかった場合には、チャンネルサーチの周期を２倍に延ばすように設定を変更する。これにより、毎日チャンネルサーチを行なうように設定されていた場合には、所定の回数のチャンネルサーチにおいて新しく受信できるようになったチャンネルが無いと、１日おきにチャンネルサーチが行なわれるように設定が変更される。また、週に一度チャンネルサーチを行なうように設定されていた場合には、所定の回数のチャンネルサーチにおいて新しく受信できるようになったチャンネルが無いと、１週おきにチャンネルサーチが行なわれるように設定が変更される。そして、ＣＰＵ１０Ａは、さらに、チャンネルサーチにおいて新しく受信できるようになったチャンネルが合った場合には、チャンネルサーチの周期を短くするように設定を変更しても良い。つまり、ＣＰＵ１０Ａは、チャンネルサーチが１日おきとされている場合に、チャンネルサーチにおいて新しく受信できるようにあったチャンネルが見つかったときには、チャンネルサーチを毎日行なうように設定を変更するように構成されても良い。
【００９４】
さらに、ＣＰＵ１０Ａは、ユーザが、放送受信装置１の電源をＯＮしている時間帯についての情報を蓄積し、適宜解析することにより、１週間等の所定期間についての電源がＯＮされない時間帯を予測するように構成されることが好ましい。そして、ＣＰＵ１０Ａは、上記のようにユーザによってチャンネルサーチを実行するように設定された時刻からチャンネルサーチが実行された際にチャンネルサーチが行なわれると予測される時間帯が、当該予測された時間帯に入るか否かを判断し、入らないと判断された場合には、入るように、チャンネルサーチを実行する時刻の設定を変更することが好ましい。
【００９５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【００９６】
【図１】本発明の一実施の形態である放送受信装置の概略構成図である。
【図２】図１のスマートアンテナにおける受信方向の切換を説明するための図である。
【図３】図１のメモリに記憶されている情報を表形式で示す図である。
【図４】図１の放送受信装置においてＣＰＵが実行するチャンネルサーチ処理のフローチャートである。
【図５】図１の放送受信装置においてＣＰＵが実行する起動処理のフローチャートである。
【図６】図５の起動処理におけるモニタの表示態様の一例を示す図である。
【図７】図５の起動処理におけるモニタの表示態様の他の例を示す図である。
【図８】図５の起動処理においてモニタに表示されるオートサーチ確認画面の一例を示す図である。
【図９】図５のオートサーチ設定処理のサブルーチンのフローチャートである。
【図１０】図９のオートサーチ設定処理において表示される設定画面の一例を示す図である。
【符号の説明】
【００９７】
１  放送受信装置、１０  制御部、１０Ａ  ＣＰＵ、１０Ｂ  メモリ、１６  チューナ、１８  デジタル復調器、２０  アナログ復調器、２１  ＯＳＤ回路、２２  ＭＰＥＧデコーダ、２３  映像合成部、２４  受信方向切換部、２６  リモコン受信部、２９  タイマ、３０  スマートアンテナ、４０  モニタ、４２  リモコン、７１  記録媒体、７００  録画再生装置。
【図１】
2006157619.tif 000003
【図２】
2006157619.tif 000004
【図３】
2006157619.tif 000005
【図４】
2006157619.tif 000006
【図５】
2006157619.tif 000007
【図６】
2006157619.tif 000008
【図７】
2006157619.tif 000009
【図８】
2006157619.tif 000010
【図９】
2006157619.tif 000011
【図１０】
2006157619.tif 000012